(57)【要約】【課題】  冷めてしまった浴槽水を暖める機能の異なるふろ給湯機に対応することができ、従来リモコンの操作性の良さを失うことのない、ふろ給湯機の共通リモコンを提供する。【解決手段】  ふろ給湯機の動作を命令する入力操作の応答を音で報知する機能及び視覚的に認知させるための表示機能を有するふろ給湯機のリモコンにおいて、冷めてしまった浴槽水を暖める機能の異なるふろ給湯機の機種に対応して報知内容及び表示内容を選択する制御部２ａを備えたものである。【選択図】        図２
2005274106.tif 000002
【特許請求の範囲】
【請求項１】
ふろ給湯機の動作を命令する入力操作の応答を音で報知する機能及び／又は視覚的に認知させるための表示機能を有するふろ給湯機のリモコンにおいて、冷めてしまった浴槽水を暖める機能の異なるふろ給湯機の機種に対応して報知内容及び／又は表示内容を選択する制御手段を備えたことを特徴とする特徴とするふろ給湯機のリモコン。
【請求項２】
前記制御手段は、前記ふろ給湯機の機種が高温さし湯式又は追いだき式の何れであるかを自動的に判別して、その機種に対応した報知内容又は表示内容を選択することを特徴とする請求項１記載のふろ給湯機のリモコン。
【請求項３】
冷めてしまった浴槽水を暖める動作を指令する操作ボタンを備え、前記制御手段は、前記操作ボタンによる指令があると、既に判別された給湯機の機種に対応した制御動作を行わせることを特徴とする請求項２記載のふろ給湯機のリモコン。
【請求項４】
前記制御手段は、前記操作ボタンによる指令があると、既に判別された給湯機の機種に対応して音声若しくは電子音の内容及び／又は表示内容を選択することを特徴とする請求項３記載のふろ給湯機のリモコン。
【発明の詳細な説明】
【技術分野】
【０００１】
本発明はふろ給湯機のリモコンに関し、特に冷めてしまった浴槽水を暖める機能が異なるふろ給湯機のリモコンに関する。
【背景技術】
【０００２】
従来のふろ給湯機として、例えば冷めてしまった浴槽水を、所定量の高温湯を浴槽に注湯することにより暖める、高温さし湯式の機能（以下、高温さし湯と記す）を持った機種がある。この機種においては、浴槽の壁に設置された、高温差し湯機種の専用ふろリモコンのスイッチによる入力操作により、高温さし湯の開始及び停止、高温さし湯設定温度の変更、高温さし湯設定量の変更、自動湯はりの開始及び停止、ふろ設定温度の変更、ふろ設定湯量の変更、浴槽水の温度と量を自動的に前述の設定状態に所定時間保つ、自動ふろ機能の継続時間の変更、自動ふろ機能の開始及び停止等のふろ給湯機の各動作と変更を指令している。
【０００３】
また、別の機種のふろ給湯機として、冷めてしまった浴槽水を、ふろ給湯機内に引き込み、内部に設置された熱交換器により加熱した浴槽水を浴槽に戻すことにより暖める、循環式追いだき機能（以下、追いだきと記す）を持った機種がある。この機種においては、浴槽の壁に設置された、追いだき機種の専用ふろリモコンのスイッチによる入力操作により、追いだきの開始及び停止、追いだき設定温度の変更、自動湯はりの開始及び停止、ふろ設定温度の変更、ふろ設定湯量の変更、浴槽水の温度と量を自動的に前述の設定状態に所定時間保つ、自動ふろ機能の継続時間の変更、自動ふろ機能の開始及び停止等のふろ給湯機の各動作と変更を指令している。
【０００４】
上記の何れの機種においても、ふろリモコンには入力操作に応じた独自の音声、電子音等による報知機能や、視覚的に認知させるための独自の表示機能が設けられており、入力操作の内容を、音と表示により分りやすく操作者に認知させるようにしている。
【０００５】
ところで、異なった機種に共通して使用できる給湯機の共通リモコンがあるが、それは例えば自動ふろ機能を備えたものと自動ふろ機能を備えていないものとを切り替えて対応するもの（特許文献１）や、自動ふろ機能自体の違い、即ち加熱装置の熱源が石油かガスによる違いを判別するものであった（特許文献２）。
【０００６】
【特許文献１】特開２００１−２７２０９６号公報（図６）
【特許文献２】特開２００１−９９４７６号公報（図２）
【発明の開示】
【発明が解決しようとする課題】
【０００７】
従来は、上述のように、冷めてしまった浴槽水を暖める機能が異なるふろ給湯機（高温さし湯式、追いだき式）に対して、入力操作に応じた音声、電子音等による報知内容や、視覚的に認知させるための表示内容や、スイッチ名称等に相違があるため、一方の機種にしか対応することができない、１対１の専用リモコンを別々に生産しているが、機種数が増加してしまうことによって、生産効率や物流効率およびサービス効率が悪化し、更には、購入の際にふろ給湯機とリモコンとの組み合わせ選定の煩わしさが生じてしまい、発注時や据付時に、給湯機とリモコンとの機種違いが発生してしまうという問題点がある。
また、多機種に使用できる給湯機の共通リモコンとして上記のようなものがあるが（特許文献１、特許文献２）、上述のように、自動ふろ機能を備えた機種と自動ふろを備えていない機種の違いに対応するもの（特許文献１）や、自動ふろ機能の違いを判別しているものであり（特許文献２）、暖める機能が異なる給湯機（高温さし湯式、追いだき式）に対応するものではなく、このような給湯機に対しては適用することができなかった。
【０００８】
本発明は、このような課題を解決するためになされたものであり、冷めてしまった浴槽水を暖める機能の異なるふろ給湯機に対応することができ、且つ従来リモコンの操作性の良さを失うことのない、ふろ給湯機のリモコンを提供する。
【課題を解決するための手段】
【０００９】
本発明に係るふろ給湯機のリモコンは、ふろ給湯機の動作を命令する入力操作の応答を音で報知する機能及び／又は視覚的に認知させるための表示機能を有するふろ給湯機のリモコンにおいて、冷めてしまった浴槽水を暖める機能の異なるふろ給湯機の機種に対応して報知内容及び／又は表示内容を選択する制御手段を備えたものである。
【発明の効果】
【００１０】
本発明のふろ給湯機のリモコンは多機種に対応することができる共通リモコンとなるため、１機種のみの生産となり、生産効率や物流効率およびサービス効率を改善することが可能であり、発注時や据付時の給湯機とリモコンとの機種違いも発生しなくなる。また、機種独自の音声、電子音等による報知機能及び／又は視覚的に認知させるための独自の表示機能を、無理に統一していないため、従来のリモコンの操作性の良さを失うことのない、ふろ給湯機のリモコンを提供することができる。
【発明を実施するための最良の形態】
【００１１】
実施の形態１．
図１は本発明の実施の形態１に係るふろ給湯システムの構成を示すブロック図である。本実施の形態１のふろ給湯システムは、図１に示されるように、通常単一の給湯ユニットと適宜の個所とが配管（図示せず）で結ばれ、設定温度、設定湯量の自動ふろ給湯制御等を行うふろ給湯機１と、通常浴室内の壁面に設置され、設定温度、設定湯量等の設定値の変更や、ふろ給湯機能等の動作及び停止を命令する浴室リモコン２と、通常台所や洗面所等の壁面に設置され、ふろ給湯機能等の動作および停止を命令する台所リモコン３とから構成される。ふろ給湯機１はふろ給湯機の制御部１ａを備えており、また、このふろ給湯機１は、冷めてしまった浴槽水を暖める機能として、高温さし湯式のふろ給湯機１と追いだき式のふろ給湯機１の２機種が存在し、その何れかが取り付けられるものとする。浴室リモコン２は、浴室リモコンの制御部２ａと、冷めてしまった浴槽水を暖める機能を動作および停止させるためのあつくスイッチ２ｉとを備えている。台所リモコン３は、台所リモコンの制御部３ａを備えている。これらの給湯システムの各部の詳細を図２に基づいて説明する。
【００１２】
図２は図１のふろ給湯システムの各部の詳細を示した制御ブロック図である。ふろ給湯機１は、ふろ給湯機の制御部１ａと、電源部１ｂと、浴室リモコン２及び台所リモコン３との通信信号の変換をおこなう通信回路１ｃと、浴室リモコン２および台所リモコン３との通信信号の解析及び送受信を行う制御マイコン１ｄとを備えている。浴室リモコン２は、浴室リモコンの制御部２ａと、電源部２ｂと、ふろ給湯機１との通信信号の変換をおこなう通信回路２ｃと、ふろ給湯機１との通信信号の解析および送受信を行う制御マイコン２ｄと、アンプ２ｇ等を備えている。マイコン２ｄは、表示器２ｅへの出力命令や、音声ＩＣ２ｆへの音声フレーズの発声および停止命令を行い、あつくスイッチ２ｉからの押下信号を解析し、冷めてしまった浴槽水を暖める機能が、動作あるいは停止状態かを判断する。台所リモコン３は、台所リモコンの制御部３ａと、電源部３ｂと、通信回路３ｃと、マイコン３ｄと、アンプ３ｇ等を備えており、上記浴室リモコン２とその機能はほぼ同様なため説明は省略する。
【００１３】
図３は図１の浴室リモコンの表面側の概略図である。浴室リモコン２は、その表面側に、あつくスイッチ２ｉと、表示器２ｅと、電子音や音声フレーズ出力がされるスピーカー２ｈとを備えている。図３の表示器２ｅの表示状態は、高温さし湯機能も追いだき機能も停止している状態の表示となっている。
【００１４】
図４は図３の浴室リモコンが高温さし湯の機種に接続されたときの表示器の概略図である。浴室リモコン２の表示器２ｅは、高温さし湯が動作している際に点灯する例えば“高温さし湯”と表現された文字の点灯部４ａと、高温さし湯が動作している際に点滅する例えば矢印３つの点灯部にて構成された点灯部４ｂと、高温さし湯が動作している際に、例えば高温さし湯の設定温度である“６０℃”を表示する温度の点灯部４ｃとから構成される。
【００１５】
図５は図３の浴室リモコン２が追いだきの機種に接続されたときの表示器の概略図である。浴室リモコン２の表示器２ｅは、追いだきが動作している際に点灯する例えば“追いだき”と表現された文字の点灯部５ａと、追いだきが動作している際に点滅する例えば矢印３つの点灯部にて構成された点灯部５ｂと、追いだきが動作している際に、例えば追いだきの設定温度である“４２℃”を表示する温度の点灯部５ｃとから構成される。
【００１６】
図６はこの実施の形態１に係るふろ給湯システムの制御処理の流れを示したフローチャートであり、同図のフローチャートを中心に図１〜図５を用いてその制御の詳細を説明する。ステップ（Ｓ１）においては、ふろ給湯機１のマイコン１ｄにて、冷めてしまった浴槽水を暖める機能が、高温さし湯式あるいは追いだき式であるかを識別させる通信信号を、の通信回路１ｃへ出力し、浴室リモコン２の通信回路２ｃからの信号をマイコン２ｄにて受信することにより、浴室リモコン２がふろ給湯機１が高温さし湯式給湯機であるか追いだき式給湯機であるかを判別する。ふろ給湯機１から受信した通信信号が高温さし湯式機種の場合はステップ（Ｓ２）へ、ふろ給湯機１から受信した通信信号が追いだき式機種の場合はステップ（Ｓ３）へ分岐する。
【００１７】
ステップ（Ｓ２）では、浴室リモコン２がふろ給湯機１が高温さし湯式機種に接続されていることを確定する。例えばマイコン２ｄに内蔵されているメモリにフラグ（高温さし湯式）をセットする。ステップ（Ｓ３）では、浴室リモコン２がふろ給湯機１が追いだき式機種に接続されていることを確定する。例えばマイコン２ｄに内蔵されているメモリにフラグ（追いだき式）をセットする。
【００１８】
そして、ステップ（Ｓ４）ではあつくスイッチ２ｉが所定時間以上押下されたかどうかを判別している。所定時間以上押下された場合にはステップ（Ｓ５）へ分岐し、所定時間以上押下されていない場合にはステップ（Ｓ４）へ戻り、あつくスイッチ２ｉが所定時間以上押下される状態を待機する。
【００１９】
ステップ（Ｓ５）では、上記のステップ（Ｓ２），（Ｓ３）にて確定した、冷めてしまった浴槽水を暖める機能が、高温さし湯式機種か或いは追いだき機種かを判別している。高温さし湯式機種の場合はステップ（Ｓ６）へ、追いだき式機種の場合はステップ（Ｓ７）へ分岐する。
【００２０】
ステップ（Ｓ６）では、ふろ給湯機１が高温さし湯式機種であるため、マイコン２ｄから通信回路２ｃへ高温さし湯機能の動作開始の通信信号を出力し、ふろ給湯機１のマイコン１ｄは通信回路１ｃを介してその信号を受信することにより、高温さし湯機能の動作を開始させる。また、マイコン２ｄから表示器２ｅに高温さし湯機能の動作開始の表示が出力される（図４参照）。また、マイコン２ｄから音声ＩＣ２ｆに、高温さし湯機能の動作を開始させる音声フレーズの発声命令が出力される。例えば「高温さし湯を開始します」と発声し、高温さし湯機能が動作し始めたことを音声によって操作者に認知させる。その後、ステップ（Ｓ８）に移行する。
【００２１】
ステップ（Ｓ７）では、ふろ給湯機１が追いだき式機種であるため、マイコン２ｄから通信回路２ｃへ追いだき機能の動作開始の通信信号を出力し、ふろ給湯機１のマイコン１ｄは通信回路１ｃを介してその信号を受信することにより、追いだき機能の動作を開始させる。また、マイコン２ｄから表示器２ｅに追いだき機能の動作開始の表示が出力される（図５参照）。また、マイコン２ｄから音声ＩＣ２ｆに、追いだき機能の動作を開始させる音声フレーズの発声命令が出力される。例えば「追いだきを開始します」と発声し、音声によって機能が動作し始めたことを操作者に認知させる。その後、ステップ（Ｓ８）に移行する。
【００２２】
ステップ（Ｓ８）ではあつくスイッチ２ｉが所定時間以上押下されたかどうかを判別している。所定時間以上押下された場合にはステップ（Ｓ９）へ分岐し、所定時間以上押下されていない場合にはステップ（Ｓ８）へ戻り、あつくスイッチ２ｉが所定時間以上押下される状態を待機する。
【００２３】
ステップ（Ｓ９）では、上記のステップ（Ｓ２），（Ｓ３）にて確定した、冷めてしまった浴槽水を暖める機能が、高温さし湯式機種か或いは追いだき機種かを判別している。高温さし湯式機種の場合はステップ（Ｓ１０）へ、追いだき式機種の場合はステップ（Ｓ１１）へ分岐する。
【００２４】
ステップ（Ｓ１０）では、ふろ給湯機１が高温さし湯式機種であるため、マイコン２ｄから通信回路２ｃへ高温さし湯機能の動作停止の通信信号を出力し、ふろ給湯機１のマイコン１ｄは通信回路１ｃを介してその受信することにより、高温さし湯機能の動作を停止させる。また、マイコン２ｄから表示器２ｅに高温さし湯機能の動作停止の表示が出力される（図３参照）。また、マイコン２ｄから音声ＩＣ２ｆに、高温さし湯機能の動作を停止させる音声フレーズの発声命令が出力される。例えば「高温さし湯を中止します」と発声し、高温さし湯機能が停止したことを音声によって操作者に認知させる。
【００２５】
ステップ（Ｓ１１）では、ふろ給湯機１が追いだき式機種であるため、マイコン２ｄから通信回路２ｃへ追いだき機能の動作停止の通信信号を出力し、ふろ給湯機１のマイコン１ｄは通信回路１ｃを介してその信号を受信することにより、追いだき機能の動作を停止させる。また、マイコン２ｄから表示器２ｅに追いだき機能の動作停止の表示が出力される（図３参照）。また、マイコン２ｄから音声ＩＣ２ｆに、追いだき機能の動作を停止させる音声フレーズの発声命令が出力される。例えば「追いだきを中止します」と発声し、追いだき機能が停止ことを音声によって操作者に認知させる。
【００２６】
上記のように、この実施の形態１においては、冷めてしまった浴槽水を暖める機能が異なるふろ給湯機１に対して、何れの機種が接続されても、接続された機種の機能を自動的に認識しているので、例えば切り替えスイッチによる切り替え操作等が不要になっており、使い勝手がよいものとなっている。また、その接続された機種に対応して音声、電子音等による報知内容や、視覚的に認知させるための表示内容を選択するようにしたので、従来の機種に対応した専用のリモコンの操作性の良さを失うことがない。また、操作者があつくスイッチ２ｉの操作をするだけで、その機種に対応した制御動作が自動的になされることから、操作者にとって使い勝手のよいものとなっている。
【００２７】
なお、この実施の形態１では、あつくスイッチ２ｉを浴室リモコン２に配置した例について説明したが、台所リモコン３に配置してもよく、その場合にも同様な動作が得られる。また、図６のフローチャートについても、本発明はその制御方法に限定されるものではなく、適宜変更してもよいことはいうまでもない。例えば機種に応じた制御プログラムをそれぞれ用意しておいて、１度機種が確定すると、該当する制御プログラムを実行するようにしてもよい。また、浴室リモコン２及び台所リモコン３が有線を介してふろ給湯機１と接続された場合ついて説明したが、無線により信号を授受するようにしてもよい。
【００２８】
また、この実施の形態１では、図４において、高温さし湯温度を６０℃としたが、高温さし湯の設定温度が変更可能な機種においては、その設定温度に応じて表示内容を選択することもできる。例えば高温さし湯の設定温度を６０℃と８０℃に切り替えられる機種においては、高温さし湯設定温度の表示部４ｃが、設定状態によって“６０℃”あるいは“８０℃”に変更することもできる。また、例えば高温さし湯能力の切替が通常と急速の２段階に切り替えられる機種においては、高温さし湯が動作している際に点灯する“高温さし湯”と表現された文字の点灯部とは別の“急速”と表現された文字の点灯部を配置し、設定状態によって“高温さし湯”あるいは“急速  高温さし湯”に変更することもできる。またこのときの高温さし湯開始時や停止時に発声される音声フレーズを設定状態によって変更することもできる。
【００２９】
また、この実施の形態１では、図５において、追いだき機能の加熱能力が可変できる機種においては、その加熱能力に応じて表示内容を選択することもできる。例えば追いだき能力の切替が通常と急速の２段階に切り替えられる機種においては、追いだきが動作している際に点灯する“追いだき”と表現された文字の点灯部とは別の“急速”と表現された文字の点灯部を配置し、設定状態によって“追いだき”あるいは“急速  追いだき”に変更することもできる。またこのときの追いだき開始時や停止時に発声される音声フレーズを設定状態によって変更することもできる。
【図面の簡単な説明】
【００３０】
【図１】本発明の実施の形態１に係るふろ給湯システムの構成を示すブロック図である。
【図２】図１のふろ給湯システムの制御ブロック図である。
【図３】図２の浴室リモコンの概略図である。
【図４】図３の浴室リモコンが高温さし湯機種に接続されたときの表示器の概略図である。
【図５】図３の浴室リモコンが追いだき機種に接続されたときの表示器の概略図である。
【図６】上記の実施の形態１に係るふろ給湯システムの制御処理の流れを示したフローチャートである。
【符号の説明】
【００３１】
１  ふろ給湯機、１ａ  制御部、１ｂ  電源、１ｃ  通信回路、１ｄ  マイコン、
２  浴室リモコン、２ａ  制御部、２ｂ  電源、２ｃ  通信回路、２ｄ  マイコン、
２ｅ  表示器、  ２ｆ  音声ＩＣ、２ｇ  アンプ、２ｈ  スピーカー、２ｉ  あつくスイッチ、３  台所リモコン、３ａ  制御部、３ｂ  電源、３ｃ  通信回路、３ｄ  マイコン、３ｅ  表示器、３ｆ  音声ＩＣ、３ｇ  アンプ、３ｈ  スピーカー。
【図１】
2005274106.tif 000003
【図２】
2005274106.tif 000004
【図３】
2005274106.tif 000005
【図４】
2005274106.tif 000006
【図５】
2005274106.tif 000007
【図６】
2005274106.tif 000008